(57)【要約】【課題】収納、運搬及び輸送が更に便利となる人載せキャリヤー用折畳み装置の提供。【解決手段】主体と椅子と前台座と支持枠とハンドルと、から少なくとも構成される人載せキャリヤー用折畳み装置において、前記主体は、上端面に収容空間が凹設してあり、前記収容空間に前記椅子が枢着してある。前記椅子は、前記主体の収容空間の両側にそれぞれ枢着された支持ロッドが設けてあり、前記支持ロッドの上端に湾曲アームが枢着してある。前記前台座は、前記主体の前端に設けられ、前記主体との間にペダルが設けてある。前記支持枠は、前記前台座のペダルの下端に設けられ、後支持ロッドと、前支持ロッドとを枢着して構成される。前記ハンドルは、操作パネルを有し、前記操作パネルの下端に内嵌めチューブが連接してあり、前記内嵌めチューブが外嵌めチューブに挿入され、前記外嵌めチューブにより前記ハンドルが前記前台座の上端に枢着される。【選択図】図１
0003135395.tif 000002
【実用新案登録請求の範囲】
【請求項１】
主体と、椅子と、前台座と、支持枠と、ハンドルと、から少なくとも構成される人載せキャリヤー用折畳み装置において、
前記主体は、上端面に収容空間が凹設してあり、前記収容空間に前記椅子が枢着してあり、
前記椅子は、前記主体の収容空間の両側にそれぞれ枢着された支持ロッドを設けてあり、前記支持ロッドの上端には湾曲アームが枢着してあり、前記湾曲アームの後端に連動ロッドが枢着してあり、また、前記二つの支持ロッドと、湾曲アームとの間には座当が組付けてあり、前記座当の後端に背当が枢着してあり、前記背当の両側が前記連動ロッドに結合されてあり、
前記前台座は、前記主体の前端に設けられ、前記主体との間にペダルが設けてあり、
前記支持枠は、前記前台座のペダルの下端に設けられ、後支持ロッドと、前支持ロッドとを枢着して構成され、前記後支持ロッドと前支持ロッドとの枢着箇所から遠ざかった他端は、前記主体と前記前台座とにそれぞれ枢着され、
前記ハンドルは、操作パネルを有し、前記操作パネルの下端に内嵌めチューブが連接してあり、前記内嵌めチューブが外嵌めチューブに挿入され、前記外嵌めチューブにより前記ハンドルが前記前台座の上端に枢着されることを特徴とする、
人載せキャリヤー用折畳み装置。
【請求項２】
前記主体の収容空間の後端には溝部が凹設してあり、前記溝部には係合具にある係合部と係合するための係合穴が開設してあり、前記係合具の他端には引き部が形成してあり、前記ハンドルの操作パネルの一側には前記係合具にある係合部に応じて係り凹部が凹設してあり、人載せキャリヤーを折畳むときに、前記係合具にある係合部が前記係合穴から外側に突出して前記操作パネルの係り凹部と係合することを特徴とする、請求項１に記載の人載せキャリヤー用折畳み装置。
【請求項３】
前記主体の収容空間の両側に設けられ互いに対応する結合台に、前記椅子の支持ロッドがそれぞれ枢着され、前記椅子の結合台の一端に位置決めブロックが設けてあり、前記椅子の支持ロッドは、前記結合台の位置決めブロックに応じて凸片体が凸設してあり、前記凸片体に位置決め穴が複数に開設してあり、前記椅子に位置決めロッドを連動するための制御具が設けてあり、前記位置決めブロックにて前記位置決めロッドが前記凸片体にある位置決め穴に位置決められ、前記位置決めロッドを相違の位置決め穴に挿入することにより、椅子の高さを調整可能になることを特徴とする、請求項１に記載の人載せキャリヤー用折畳み装置。
【考案の詳細な説明】
【技術分野】
【０００１】
本考案は、人載せキャリヤー用折畳み装置に係り、特に、使用しない場合には、人載せキャリヤーを折畳み可能であり、且つ折畳んだ人載せキャリヤーを引いて移動可能であり、収納および運搬が更に便利になる人載せキャリヤー用折畳み装置に関するものである。
【背景技術】
【０００２】
交通事故や中風などの原因で走行不能になった患者は、長時期にベッドに寝そべるので、足の筋肉が退化するようになり、又はお年寄りの生理機能退化するので、行動が遅くなり、走行も遅くなり、このような体不自由な方は長距離に移動しようとする場合には、杖や車椅子などを使用することが一般であり、しかし、このようなものの使用は力が必要であり、且つ快速に移動することもできない問題があった。
【０００３】
したがって、あるメーカは電動車椅子などの人載せキャリヤーを開発し、電的エネルギーを動力に変換することにより、体不自由な方の移動を助けている。
【考案の開示】
【考案が解決しようとする課題】
【０００４】
しかしながら、市販している各種類の人載せキャリヤーは、電的エネルギーを動力に変換することにより体不自由な方の移動を助けることができるが、これらの人載せキャリヤーの構造は折畳み不能な構造であるので、使用しない場合には、収納スペースがかなり掛られ、そして運搬および輸送なども極めて不便である。
また、収納スペースを低減するために、あるメーカは分解可能な人載せキャリヤーを開発したが、分解するための時間が長いので、このようなものは依然に極めて不便であった。
【課題を解決するための手段】
【０００５】
上記欠点を解決するためになされた本願の第１考案は、主体と、椅子と、前台座と、支持枠と、ハンドルと、から少なくとも構成される人載せキャリヤー用折畳み装置において、前記主体は、上端面に収容空間が凹設してあり、前記収容空間に前記椅子が枢着してあり、前記椅子は、前記主体の収容空間の両側にそれぞれ枢着された支持ロッドを設けてあり、前記支持ロッドの上端には湾曲アームが枢着してあり、前記湾曲アームの後端に連動ロッドが枢着してあり、また、前記二つの支持ロッドと、湾曲アームとの間には座当が組付けてあり、前記座当の後端に背当が枢着してあり、前記背当の両側が前記連動ロッドに結合されてあり、前記前台座は、前記主体の前端に設けられ、前記主体との間にペダルが設けてあり、前記支持枠は、前記前台座のペダルの下端に設けられ、後支持ロッドと、前支持ロッドとを枢着して構成され、前記後支持ロッドと前支持ロッドとの枢着箇所から遠ざかった他端は、前記主体と前記前台座とにそれぞれ枢着され、前記ハンドルは、操作パネルを有し、前記操作パネルの下端に内嵌めチューブが連接してあり、前記内嵌めチューブが外嵌めチューブに挿入され、前記外嵌めチューブにより前記ハンドルが前記前台座の上端に枢着されることを特徴とする人載せキャリヤー用折畳み装置であることを要旨としている。
【０００６】
本願の第２考案では、前記主体の収容空間の後端には溝部が凹設してあり、前記溝部には係合具にある係合部と係合するための係合穴が開設してあり、前記係合具の他端には引き部が形成してあり、前記ハンドルの操作パネルの一側には前記係合具にある係合部に応じて係り凹部が凹設してあり、人載せキャリヤーを折畳むときに、前記係合具にある係合部が前記係合穴から外側に突出して前記操作パネルの係り凹部と係合することを特徴とする本願の第１考案に記載の人載せキャリヤー用折畳み装置であることを要旨としている。
【０００７】
本願の第３考案では、前記主体の収容空間の両側に設けられ互いに対応する結合台に、前記椅子の支持ロッドがそれぞれ枢着され、前記椅子の結合台の一端に位置決めブロックが設けてあり、前記椅子の支持ロッドは、前記結合台の位置決めブロックに応じて凸片体が凸設してあり、前記凸片体に位置決め穴が複数に開設してあり、前記椅子に位置決めロッドを連動するための制御具が設けてあり、前記位置決めブロックにて前記位置決めロッドが前記凸片体にある位置決め穴に位置決められ、前記位置決めロッドを相違の位置決め穴に挿入することにより、椅子の高さを調整可能になることを特徴とする本願の第１考案に記載の人載せキャリヤー用折畳み装置であることを要旨としている。
【考案の効果】
【０００８】
本考案の人載せキャリヤー用折畳み装置によれば、使用しない場合には、主体の上端にある座当と背当とを主体に寄せて、前台座を主体に寄せて、椅子の座当と背当とにハンドルを寄せることにより、本考案の人載せキャリヤーを扁平状に折畳み可能である。
【０００９】
また、前台座の前端にあるグリップを引き上げると、主体の後端にある補助ローラにより本考案の人載せキャリヤーを楽に移動可能であり、収納、運搬及び輸送が、更に便利になるという効果がある。
【考案を実施するための最良の形態】
【００１０】
以下、添付図面を参照して本考案の好適な実施の形態を詳細に説明する。
【００１１】
まず、図１を参照する。図１は本考案の分解斜視図である。本考案の人載せキャリヤー用折畳み装置は、主に、主体１と、椅子２と、前台座３と、支持枠４と、ハンドル５と、から構成される。次に、図２と図３を参照する。図２は本考案の組合状態の斜視図であり、図３は本考案の組合状態の側面図である。
【００１２】
前記主体１は、上端面に収容空間１１が凹設してあり、前記収容空間１１に前記椅子２が枢着してあり、前記収容空間１１の後端には溝部１２が凹設してあり、前記溝部１２には係合具１４にある係合部１４１と係合するための係合穴１３が開設してあり、前記係合具１４の他端には引き部１４２が形成してある。
【００１３】
前記椅子２は、図４に示すように、前記主体１の収容空間１１の両側に互いに対応する結合台２１がそれぞれ設けてある。前記椅子２の結合台２１の一端に位置決めブロック２１１が設けてあり、前記二つの結合台２１に支持ロッド２２がそれぞれ枢着される。
【００１４】
前記椅子の支持ロッド２２は、前記結合台２１の位置決めブロック２１１に応じて凸片体２２１が凸設してあり、前記凸片体２２１に位置決め穴２２２が複数に開設してある。前記支持ロッド２２の底端に補助ローラ２２３が枢着してあり、前記支持ロッド２２の上端に湾曲アーム２３が枢着してあり、前記湾曲アーム２３の後端に連動ロッド２４が枢着してある。
【００１５】
また、前記二つの支持ロッド２２と、湾曲アーム２３との間には支持台２５が設けてある。前記支持台２５に座当２６が組付けてあり、前記座当２６の後端に背当２７が枢着してある。前記背当２７の両側が前記連動ロッド２４に結合され、前記座当２６と背当２７とには互いに対応する溝２６１，２７１が設けてあり、前記椅子２に位置決めロッド２８１を連動するための制御具２８が設けてある。前記位置決めブロック２１１にて前記位置決めロッド２８１が前記凸片体２２１にある位置決め穴２２２に位置決められ、前記位置決めロッド２８１を相違の位置決め穴２２２に挿入することにより、椅子２の高さを調整できる。
【００１６】
前記前台座３は、前記主体１の前端に設けられ、前記主体１との間にペダル３１が設けてあり、その前端にグリップ３２が設けてある。
【００１７】
前記支持枠４は、前記前台座３のペダル３１の下端に設けられ、後支持ロッド４１と、前支持ロッド４２とを枢着して構成される。前記後支持ロッド４１と前支持ロッド４２との枢着箇所から遠ざかった他端は、それぞれ前記主体１と前記前台座３とに枢着される。
【００１８】
前記ハンドル５は、操作パネル５１を有し、前記操作パネル５１の一側には係り凹部５２が凹設してある。前記操作パネル５１の下端に内嵌めチューブ５３が連接してあり、前記内嵌めチューブ５３が外嵌めチューブ５４に挿入され、前記外嵌めチューブ５４により前記ハンドル５が前記前台座３の上端に枢着される。
【００１９】
次に、図５乃至図７を参照する。図５は本考案の椅子を折畳んでいる状態を示す概略図１であり、図６は本考案の椅子を折畳んでいる状態を示す概略図２であり、図７は本考案の全体を折畳んでいる状態を示す概略図１である。上記のような構成によれば、人載せキャリヤーを使用しない場合には、椅子２を制御する制御具２８により、位置決めロッド２８１が連動されて支持ロッド２２にある凸片体２２１に開設された位置決め穴２２２から離脱するようになる。そうすると、支持ロッド２２を主体１にある収容空間１１に寄ることができる。
【００２０】
このとき、支持ロッド２２と湾曲アーム２３との間にある支持台２５の座当２６も連動されて収容空間１１に寄ることができ、支持ロッド２２が下に移動しているときに、湾曲アーム２３が連動ロッド２４を連動して、座当２６の後端に枢着される背当２７が連動ロッド２４に連動されて後方へ主体１にある収容空間１１に寄ることができる。
【００２１】
また、図８に示すように、支持枠４の後支持ロッド４１と前支持ロッド４２とを枢着箇所を中心に折畳み、このとき、前台座３のペダル３１が主体１の底部に後退し、これにより、前台座３が主体１に寄るようになる。
【００２２】
図９と図１０に示すように、ハンドル５の内嵌めチューブ５３を外嵌めチューブ５４に押し込んで、ハンドル５を下に引かせて、ハンドル５の内外嵌めチューブ５３，５４を座当２６と背当２７との溝２６１，２７１に入れると同時に、ハンドル５の操作パネル５１を収容空間１１の後端の溝部１２に入れて、図１１と図１２に示すように、係合具１４にある係合部１４１が係合穴１３から外側に突出して操作パネル５１の係り凹部５２と係合すると、本考案の人載せキャリヤーを収納することができ、そして前台座３の前端にあるグリップ３２を引き上げると、主体１の後端にある補助ローラ２２３により本考案の人載せキャリヤーを楽に移動可能である。
【００２３】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２４】
【図１】本考案の分解斜視図である。
【図２】本考案の組合状態の斜視図である。
【図３】本考案の組合状態の側面図である。
【図４】本考案の椅子の構造を示す斜視図である。
【図５】本考案の椅子を折畳んでいる状態を示す概略図１である。
【図６】本考案の椅子を折畳んでいる状態を示す概略図２である。
【図７】本考案の全体を折畳んでいる状態を示す概略図１である。
【図８】本考案の全体を折畳んでいる状態を示す概略図２である。
【図９】本考案の全体を折畳んでいる状態を示す概略図３である。
【図１０】本考案の全体を折畳んだ状態を示す斜視図である。
【図１１】本考案のハンドルを折畳んでいる状態を示す概略図１である。
【図１２】本考案のハンドルを折畳んでいる状態を示す概略図２である。
【符号の説明】
【００２５】
１        主体
１１      収容空間
１２      溝部
１３      係合穴
１４      係合具
１４１    係合部
１４２    引き部
２        椅子
２１      結合台
２１１    位置決めブロック
２２      支持ロッド
２２１    凸片体
２２２    位置決め穴
２２３    補助ローラ
２３      湾曲アーム
２４      連動ロッド
２５      支持台
２６      座当
２６１    溝
２７      背当
２７１    溝
２８      制御具
２８１    位置決めロッド
３        前台座
３１      ペダル
３２      グリップ
４        支持枠
４１      後支持ロッド
４２      前支持ロッド
５        ハンドル
５１      操作パネル
５２      係り凹部
５３      内嵌めチューブ
５４      外嵌めチューブ
【図１】
0003135395.tif 000003
【図２】
0003135395.tif 000004
【図３】
0003135395.tif 000005
【図４】
0003135395.tif 000006
【図５】
0003135395.tif 000007
【図６】
0003135395.tif 000008
【図７】
0003135395.tif 000009
【図８】
0003135395.tif 000010
【図９】
0003135395.tif 000011
【図１０】
0003135395.tif 000012
【図１１】
0003135395.tif 000013
【図１２】
0003135395.tif 000014